(57)【要約】【課題】簡単な操作により操作具に記憶されたデータを取得し、表示できるタッチパネルシステム及びタッチパネル装置の提供。【解決手段】タッチパネル装置は、１又は複数のデータ及び各データを識別する識別情報を記憶する記憶手段を備えた操作具を通信可能に接続する接続手段と、記憶手段に記憶されているデータの識別情報を取得する取得手段と、操作具を用いた所定の操作を受付けたか否かを判断する判断手段とを備え、所定の操作を受付けたと判断した場合、取得手段が取得した識別情報を表示パネルに表示する。【選択図】図５
2018113073.tif 000002
【特許請求の範囲】
【請求項１】
情報を表示するための表示パネルと、該表示パネル上での入力を受付けるタッチパネルとを備えるタッチパネル装置であって、
１又は複数のデータおよび各データを識別する識別情報を記憶する記憶手段を備えた指示具による所定の操作を受け付けたか否かを判断する判断手段と、
前記所定の操作を受け付けたと判断した場合、前記指示具に対して、前記記憶手段に記憶されている前記識別情報の送信を要求する送信要求手段と、
前記識別情報の送信要求に対する応答として前記操作具から識別情報を取得する取得手段と、
前記取得手段により取得された前記識別情報の夫々を示す１又は複数のオブジェクトを前記表示パネルに表示させる表示制御手段と、
を備えることを特徴とするタッチパネル装置。
【請求項２】
前記タッチパネルにて操作を受付けた場合、計時を開始する手段と、
前記タッチパネルでの操作が所定時間継続したか否かを判断する手段と、
をさらに備え、
前記タッチパネルでの操作が所定時間継続したと判断した場合、前記判断手段は、前記所定の操作を受付けたと判断するようにしてあることを特徴とする請求項１に記載のタッチパネル装置。
【請求項３】
前記表示制御手段は、前記操作具の記憶手段に記憶されているデータの取得要求を表すオブジェクトを前記表示パネルに表示させ、
前記オブジェクトに対する選択操作を前記タッチパネルにて受付けた場合、前記判断手段は、前記所定の操作を受付けたと判断するようにしてあることを特徴とする請求項１に記載のタッチパネル装置。
【請求項４】
前記タッチパネルが受付けた位置に基づき、前記タッチパネル上で描かれた軌跡を特定する手段と、
特定した軌跡が所定の軌跡であるか否かを判断する手段と
をさらに備え、
前記タッチパネル上で描かれた軌跡が所定の軌跡であると判断した場合、前記判断手段は、前記所定の操作を受付けたと判断するようにしてあることを特徴とする請求項１に記載のタッチパネル装置。
【請求項５】
前記指示具からの所定の信号を受信する受信手段をさらに備え、
前記所定の信号を受信した際に、前記指示具による前記タッチパネルへの操作を検出した場合、前記判断手段は、前記所定の操作を受け付けたと判断するようにしてあることを特徴とする請求項１に記載のタッチパネル装置。
【請求項６】
前記取得手段は、前記記憶手段に記憶されているデータの識別情報と共に、各データの記憶日時に係る情報を取得するようにしてあり、
前記表示パネルに識別情報を表示する際、記憶日時が新しい順に選択した所定数以内のデータの識別情報を表示するようにしてあることを特徴とする請求項１から請求項５の何れか１つに記載のタッチパネル装置。
【請求項７】
前記識別情報が所定数よりも多い場合、前記表示制御手段は、前記表示パネルに表示する識別情報の更新用のオブジェクトを前記表示パネルに表示するようにしてあることを特徴とする請求項６に記載のタッチパネル装置。
【請求項８】
前記判断手段により前記所定の操作を受付けたと判断された場合、前記表示制御手段は、前記識別情報を一覧で表示させるためのオブジェクトを表示し、
前記識別情報を一覧で表示させるためのオブジェクトに対する選択を受け付けると、前記識別情報の一覧を含むウインドウを前記表示パネルに表示するようにしてあることを特徴とする請求項６に記載のタッチパネル装置。
【請求項９】
情報を表示するための表示パネルと、該表示パネル上での入力を受付けるタッチパネルとを備えるタッチパネル装置の情報表示方法であって、
１又は複数のデータおよび各データを識別する識別情報を記憶する記憶手段を備えた指示具による所定の操作を受け付けたか否かを判断する判断ステップと、
前記所定の操作を受け付けたと判断した場合、前記指示具に対して、前記記憶手段に記憶されている前記識別情報の送信を要求する送信要求ステップと、
前記識別情報の送信要求に対する応答として前記操作具から識別情報を取得する取得ステップと、
前記取得手段により取得された前記識別情報の夫々を示す１又は複数のオブジェクトを前記表示パネルに表示させる表示制御ステップと、
を含むことを特徴とする情報表示方法。
【請求項１０】
情報を表示するための表示パネルと、該表示パネル上での入力を受付けるタッチパネルとを備えるタッチパネル装置のコンピュータに、
１又は複数のデータおよび各データを識別する識別情報を記憶する記憶手段を備えた指示具による所定の操作を受け付けたか否かを判断する判断ステップと、
前記所定の操作を受け付けたと判断した場合、前記指示具に対して、前記記憶手段に記憶されている前記識別情報の送信を要求する送信要求ステップと、
前記識別情報の送信要求に対する応答として前記操作具から識別情報を取得する取得ステップと、
前記取得手段により取得された前記識別情報の夫々を示す１又は複数のオブジェクトを前記表示パネルに表示させる表示制御ステップと、
を実現させることを特徴とするプログラム。
【請求項１１】
情報を表示するための表示パネルと、該表示パネル上での入力を受付けるタッチパネルとを備えるタッチパネル装置、及び前記表示パネル上での入力操作に用いられる操作具を備えるタッチパネルシステムにおいて、
前記操作具は、
１又は複数のデータおよび各データを識別する識別情報を記憶する記憶手段
を備え、
タッチパネル装置は、
１又は複数のデータおよび各データを識別する識別情報を記憶する記憶手段を備えた指示具による所定の操作を受け付けたか否かを判断する判断手段と、
前記所定の操作を受け付けたと判断した場合、前記指示具に対して、前記記憶手段に記憶されている前記識別情報の送信を要求する送信要求手段と、
前記識別情報の送信要求に対する応答として前記操作具から識別情報を取得する取得手段と、
前記取得手段により取得された前記識別情報の夫々を示す１又は複数のオブジェクトを前記表示パネルに表示させる表示制御手段と、
を備えることを特徴とするタッチパネルシステム。
【発明の詳細な説明】
【技術分野】
【０００１】
本発明は、スタイラスペンに記憶されたデータを呼び出して表示することができるタッチパネルシステム及びタッチパネル装置に関する。
【背景技術】
【０００２】
近年、タッチパネル装置と、タッチパネル装置に対してタッチ操作を入力するためのスタイラスペンとを有するタッチパネルシステムが普及しつつある。
【０００３】
タッチパネル装置が備える表示パネル上にパーソナルコンピュータ（ＰＣ）等で作成された電子データを表示しようとした場合、当該データが記憶されたＰＣを有線又は無線によりタッチパネル装置に接続し、ＰＣを操作することによって表示対象の電子データを選択する。そして、選択した電子データを適宜のアプリケーションソフトウェアから開くことによって、電子データの内容をタッチパネル装置の表示パネル上に表示することが行われていた。
【０００４】
また、ＰＣ等に記憶された電子データを外部へ持ち出すことができるように、メモリを内蔵し、このメモリにユーザが所望する電子データを記憶できるようにしたスタイラスペンが提案されている（例えば、特許文献１を参照）。
【先行技術文献】
【特許文献】
【０００５】
【特許文献１】特開２００９−１９９１６５号公報
【発明の概要】
【発明が解決しようとする課題】
【０００６】
しかしながら、スタイラスペンに記憶された電子データをタッチパネル装置の表示パネルに表示しようとしたとき、ＰＣに記憶されている電子データと同様に、スタイラスペンを有線又は無線によりタッチパネル装置に接続し、タッチパネル装置に接続されたＰＣを操作することによって、表示対象の電子データを選択し、選択した電子データを適宜のアプリケーションソフトウェアから開くことによって、タッチパネル装置の表示パネル上に電子データの内容を表示する必要があり、手間が掛かるという問題点を有していた。
【０００７】
本発明は、斯かる事情に鑑みてなされたものであり、スタイラスペンに記憶されたデータを簡単な操作により呼び出して表示することができるタッチパネルシステム及びタッチパネル装置を提供することを目的とする。
【課題を解決するための手段】
【０００８】
本願のタッチパネル装置は、情報を表示するための表示パネルと、該表示パネル上での入力を受付けるタッチパネルと、１又は複数のデータおよび各データを識別する識別情報を記憶する記憶手段を備えた指示具を用いた所定の操作を受け付けたか否かを判断する判断手段と、前記所定の操作を受け付けたと判断した場合、前記指示具に対して、前記記憶手段に記憶されている前記識別情報の送信を要求する送信要求手段と、前記識別情報の送信要求に対する応答として前記操作具から識別情報を取得する取得手段と、前記取得手段により取得された前記識別情報の夫々を示す１又は複数のオブジェクトを前記表示パネルに表示させる表示制御手段とを備えることを特徴とする。
【発明の効果】
【０００９】
本願によれば、操作具を用いた操作により、操作具に記憶されているデータの識別情報を表示パネルに表示させることができ、表示された識別情報に対応するデータを操作具から容易に呼び出すことが可能となる。
【図面の簡単な説明】
【００１０】
【図１】タッチパネルシステムの全体構成を示す図である。
【図２】タッチパネル装置の内部構成を示すブロック図である。
【図３】スタイラスペンの内部構成を示すブロック図である。
【図４】実施の形態１に係るトリガ操作を説明する説明図である。
【図５】アイコン群の構成を説明する説明図である。
【図６】ファイル名が選択された場合のタッチパネル装置の動作を説明する説明図である。
【図７】実施の形態１に係るタッチパネル装置の動作手順を示すフローチャートである。
【図８】実施の形態２に係るタッチパネル装置の動作手順を示すフローチャートである。
【図９】実施の形態３におけるファイル名の表示方法を説明する説明図である。
【図１０】実施の形態３に係るタッチパネル装置の動作手順を示すフローチャートである。
【図１１】実施の形態４に係るタッチパネル装置の動作手順を示すフローチャートである。
【図１２】実施の形態５に係るスタイラスペンの内部構成を示すブロック図である。
【図１３】実施の形態５に係るタッチパネル装置の動作手順を示すフローチャートである。
【図１４】実施の形態６に係るファイル名の表示方法を説明する説明図である。
【図１５】実施の形態６に係るタッチパネル装置の動作手順を示すフローチャートである。
【図１６】トリガ操作を受付けた場合に表示するアイコン群の一例を示す模式図である。
【図１７】実施の形態６におけるファイル名の選択方法を説明する説明図である。
【発明を実施するための形態】
【００１１】
以下、本発明をその実施の形態を示す図面に基づいて具体的に説明する。
実施の形態１．
図１はタッチパネルシステムの全体構成を示すブロック図である。本実施の形態に係るタッチパネルシステムは、表示パネル１Ａ及びタッチパネル１Ｂを有するタッチパネル装置１と、タッチパネル装置１に通信可能に接続され、タッチパネル装置１の操作に用いられるスタイラスペン２とを備える。
【００１２】
タッチパネル装置１は、パーソナルコンピュータと同等の機能を有しており、例えば電源投入時にＯＳ（Operating System）等を起動し、起動したＯＳ上で各種ドライバソフトウェア、アプリケーションソフトウェア等が動作するように構成されている。タッチパネル装置１は、ＯＳの起動後、デスクトップ、アイコン、ボタン、メニュー、ウインドウなどのオブジェクトを表示パネル１Ａに表示することにより、ユーザにＧＵＩ環境（GUI : Graphical User Interface）を提供する。ユーザは、スタイラスペン２又はユーザ自身の指を用いて操作対象のオブジェクトに対する操作（タッチ操作）を行うことにより、各種の処理を実行することができる。タッチパネル装置１は、ユーザにより行われたタッチ操作をタッチパネル１Ｂにて検出し、検出したタッチ操作に応じて、アプリケーションを起動する処理、アイコンで示されるファイルの内容を表示する処理、ボタンに割り当たられた機能を実行する処理、メニューを表示させる処理、ウインドウを移動させる処理等の様
々な処理を実行する。
【００１３】
タッチパネル装置１のＯＳ上で動作するアプリケーションソフトウェアには、文書作成ソフト、表計算ソフト、グラフィックソフト、プレゼンテーションソフトなどの様々なソフトウェアが含まれる。これらのソフトウェアは、タッチパネル装置１に予めインストールされているものであってもよく、タッチパネル装置１の導入後にユーザによってインストールされるものであってもよい。
【００１４】
ユーザは、タッチパネル装置１にインストールされているアプリケーションソフトウェアを用いて、文書データ、表計算データ、グラフィックデータ、プレゼンテーションデータ等の様々なデータを作成することができ、作成したデータをタッチパネル装置１内部の記憶部１３（図２を参照）にファイルとして記憶させることができる。また、本実施の形態では、タッチパネル装置１にて作成したデータの記憶先をスタイラスペン２に変更することが可能である。データの記憶先をスタイラスペン２に変更する場合、タッチパネル装置１は、当該データをスタイラスペン２へ送信する。スタイラスペン２は、タッチパネル装置１から送信されたデータを受信し、受信したデータを自機の記憶部２２（図３を参照）にファイルとして記憶させる。
【００１５】
本実施の形態では、スタイラスペン２の記憶部２２に記憶されているファイルへのアクセスを容易にするために、スタイラスペン２を用いた所定の操作を受付けた場合、タッチパネル装置１は、スタイラスペン２から記憶部２２に記憶されているファイルのファイル名を取得し、取得したファイル名を表示パネル１Ａに表示する。なお、以下の説明では、スタイラスペン２に記憶されたファイルのファイル名を表示パネル１Ａに表示させる契機となる操作をトリガ操作という。
【００１６】
また、本実施の形態では、タッチパネル装置１の表示パネル１Ａにファイル名を表示している場合に、タッチパネル１Ｂを通じてファイル名について選択操作を受付けたとき、タッチパネル装置１は、選択されたファイル名に対応するファイルをスタイラスペン２から取得し、取得したファイルの内容を表示パネル１Ａに表示する構成としている。
【００１７】
以下、タッチパネル装置１及びスタイラスペン２の構成について説明する。
図２はタッチパネル装置１の内部構成を示すブロック図である。タッチパネル装置１は、表示パネル１Ａ及びタッチパネル１Ｂの動作を制御するために、主制御部１１、ＲＡＭ（Random Access Memory）１２、記憶部１３、バックライト制御部１４、表示制御部１５、タッチパネル制御部１６、通信部１７等を備える。
【００１８】
主制御部１１は、例えばＣＰＵ（Central Processing Unit）を備え、記憶部１３に記
憶されているＯＳ、各種ドライバソフトウェア等のコンピュータプログラムをＲＡＭ１２にロードして実行することにより、上述のハードウェア各部の動作を制御する。
【００１９】
ＲＡＭ１２は、ＳＲＡＭ（Static RAM）、ＤＲＡＭ（Dynamic RAM）、フラッシュメモ
リ等である。ＲＡＭ１２は、主制御部１１による各種プログラムの実行時に発生する種々のデータを一時的に記憶する。
【００２０】
記憶部１３は、ＥＥＰＲＯＭ（Electrically Erasable and Programmable ROM）、フラッシュメモリ、ＨＤＤ（Hard Disk Drive）等の不揮発性の記憶手段である。記憶部１３
は、主制御部１１により実行されるＯＳ、ドライバソフトウェア、アプリケーションソフトウェア、及びＯＳ等のプログラムによって使用されるデータ等を記憶する。
【００２１】
なお、トリガ操作を受付けたときにスタイラスペン２からファイル名を取得し、表示パ
ネル１Ａに表示させる機能、及び選択したファイル名に対するファイルをスタイラスペン２から取得する機能は、ＯＳが提供する機能の１つとして搭載される構成であってもよく、特定のアプリケーションソフトウェアが提供する機能の１つとして搭載される構成であってもよい。
【００２２】
バックライト制御部１４には、バックライト（不図示）が接続されており、表示制御部１５には、表示パネル１Ａが接続されている。バックライトは、白色ＬＥＤ（Light Emitting Diode）又は冷陰極蛍光管等の光源を有し、表示パネル１Ａを背面側から照明する。バックライト制御部１４は、主制御部１１からの指示に従ってバックライトの光源の点灯及び消灯を制御する。表示パネル１Ａは、例えばカラー液晶パネルであり、主制御部１１からの指示に従って表示制御部１５が表示パネル１Ａを駆動させることにより、画像、文字等の各種情報を表示する。
【００２３】
タッチパネル制御部１６には、タッチパネル１Ｂが接続されている。タッチパネル１Ｂは、表示パネル１Ａの前面（表示面）側に配置されており、表示パネル１Ａ上でスタイラスペン２又はユーザの指によるタッチ操作を検出するためのタッチセンサ（不図示）を備える。このようなタッチセンサには、静電容量方式、抵抗膜方式、電磁誘導方式、赤外線方式等のセンサを用いることができる。なお、タッチセンサは、スタイラスペン２（又はユーザの指）とタッチパネル１Ｂとの接触状態を検出する構成であってもよく、スタイラスペン２（又はユーザの指）とタッチパネル１Ｂとの接触状態だけでなく、近接状態を検出する構成であってもよい。
タッチパネル制御部１６は、タッチセンサの動作を制御すると共に、タッチセンサからの出力に基づいて、スタイラスペン２（又はユーザの指）により指定された表示パネル１Ａ上の位置を演算し、演算結果を主制御部１１へ出力する。主制御部１１は、タッチパネル制御部１６から出力に応じた処理を実行する。
【００２４】
通信部１７は、有線又は無線により通信可能にスタイラスペン２を接続するためのインタフェースを備える。通信部１７は、通信可能に接続されたスタイラスペン２から送信される信号を受信すると共に、スタイラスペン２の記憶部２２に記憶させるデータを送信する。
【００２５】
図３はスタイラスペン２の内部構成を示すブロック図である。スタイラスペン２は、制御部２１、記憶部２２、操作部２３、通信部２４を備える。制御部２１は、例えばＣＰＵ、ＲＯＭ、ＲＡＭにより構成されており、ＲＯＭに予め格納された制御プログラムをＲＡＭに読み出し、ＣＰＵが制御プログラムを実行することにより、スタイラスペン２を本発明に係る操作具として機能させる。
【００２６】
記憶部２２は、例えばＥＥＰＲＯＭなどの不揮発性メモリにより構成されている。記憶部２２が備える記憶領域の一部は、各種データを記憶するためのデータ記憶領域、及びデータ記憶領域に記憶したデータを管理するためのデータ管理テーブルとして利用される。
【００２７】
タッチパネル装置１には、文書作成ソフト、グラフィックソフト、プレゼンテーションソフト等のアプリケーションソフトウェアがインストールされており、これらのソフトウェアにより作成されたデータを通信部１７を通じてスタイラスペン２へ送信することにより、データ記憶領域に所望のデータ（ファイル）を記憶させることができる。また、データ管理テーブルには、例えば、データの識別情報（ファイル名）、データの記憶場所（アドレス）、データサイズ、記憶日時等のデータの属性を示す情報が記憶される。
【００２８】
なお、本実施の形態では、タッチパネル装置１から送信されたデータをスタイラスペン２に記憶させる構成としたが、他のコンピュータ装置にスタイラスペン２を有線又は無線
により通信可能に接続し、接続された他のコンピュータ装置からスタイラスペン２の記憶部２２に記憶させるデータを取得する構成であってもよい。
【００２９】
また、本実施の形態では、データ記憶領域に記憶したデータを管理するためにデータ管理テーブルを備える構成としたが、記憶部２２に記憶したデータを管理するための管理システムとして、ＦＡＴ（File Allocation Table）のような公知のファイルシステムを採
用するものであってもよい。
【００３０】
操作部２３は、例えば各種のスイッチを備える。操作部２３が備えるスイッチが操作された場合、制御部２１は、スイッチの操作状態に応じた信号を生成し、生成した信号を通信部２４を通じてタッチパネル装置１へ送信する。タッチパネル装置１は、スタイラスペン２の操作部２３が操作されたことを示す信号を受信した場合、その信号に基づいて各種の処理を実行する。
【００３１】
操作部２３が備えるスイッチの１つは、記憶部２２に記憶されているデータをタッチパネル装置１上に呼び出すためのデータ呼出スイッチ２３ａ（図４参照）である。データ呼出スイッチ２３ａは、例えば押下式のスイッチである。スタイラスペン２は、データ呼出スイッチ２３ａが押下されている間、データ呼出スイッチ２３ａが押下されていることを示す信号を通信部２４を通じて間欠的に送信する。
【００３２】
通信部２４は、有線又は無線により接続先のタッチパネル装置１と通信するためのインタフェースを含む。有線方式の通信として、例えばＵＳＢケーブルを用いた通信を利用することができる。また、無線方式の通信として、例えばＩＥＥＥ８０２．１の規格に準拠した無線通信、Ｂｌｕｅｔｏｏｔｈ（登録商標）などを利用することができる。
【００３３】
次に、スタイラスペン２に記憶されたファイルの表示方法について説明する。
本実施の形態に係るタッチパネル装置１は、トリガ操作を受付けた場合、スタイラスペン２の記憶部２２に記憶されているファイルのファイル名を取得し、取得したファイル名を表示パネル１Ａに表示させる。また、本実施の形態に係るタッチパネル装置１は、表示パネル１Ａに表示したファイル名について選択操作を受付けた場合、対応するファイルをスタイラスペン２から取得し、取得したファイルの内容を表示パネル１Ａに表示させる処理を行う。
【００３４】
図４は実施の形態１に係るトリガ操作を説明する説明図である。実施の形態１では、タッチパネル装置１は、スタイラスペン２のデータ呼出スイッチ２３ａが押下操作された状態にて、タッチパネル１Ｂがタッチ操作を検出した場合、トリガ操作を受付けたと判断し、スタイラスペン２からファイルを呼び出すためのアイコン群１００を表示させる。
【００３５】
図４Ａは、スタイラスペン２のデータ呼出スイッチ２３ａを押下操作した状態にて、タッチパネル１Ｂへ近づけた状態を示している。実施の形態１では、データ呼出スイッチ２３ａが押下操作された状態であっても、スタイラスペン２がタッチパネル１Ｂにより検出されない場合、トリガ操作を受付けたと判断しないため、表示パネル１Ａにはアイコン群１００は表示されない。
【００３６】
データ呼出スイッチ２３ａが押下操作された状態にて、タッチパネル１Ｂがタッチ操作を検出した場合（例えばスタイラスペン２がタッチパネル１Ｂに接触したことを検出した場合）、図４Ｂに示すように、タッチパネル装置１は、スタイラスペン２からファイルを呼び出すためのアイコン群１００を表示パネル１Ａに表示させる。
【００３７】
図５はアイコン群１００の構成を説明する説明図である。図５Ａはアイコン群の表示例
を示している。スタイラスペン２の記憶部２２に複数のファイルが記憶されている場合、タッチパネル装置１は、記憶日時が新しいものから順に所定数（図５Ａに示す例では４つ）以内のファイル名を選択し、選択したファイル名を付した矩形状のアイコン１０１〜１０４を表示パネル１Ａに表示する。本実施の形態では、タッチパネル装置１は、記憶日時が最も新しいファイルのファイル名に対応するアイコン１０１をスタイラスペン２とタッチパネル１Ｂとの接触位置（すなわち、スタイラスペン２により指定された位置）に配置し、その左側、上側、右側にそれぞれ記憶日時が２番目、３番目、４番目に新しいファイルのファイル名に対応するアイコン１０２〜１０４を配置する。また、アイコン１０１の下側には、記憶日時が次に新しいファイル（例えば、記憶日時が５〜８番目に新しいファイル）のファイル名を表示させるファイル名更新用のアイコン１０５を配置する。
【００３８】
図５Ｂはファイルの選択例を示している。タッチパネル装置１は、各ファイル名に対応したアイコン１０１〜１０４を表示している状態にて、アイコン１０１〜１０４の選択操作を受付ける。例えば、スタイラスペン２とタッチパネル１Ｂとの接触点にアイコン１０１を表示させている状態で、スタイラスペン２がタッチパネル１Ｂから離隔したことを検出したとき、タッチパネル装置１は、アイコン１０１に対する選択操作を受付けたと判断する。また、スタイラスペン２とタッチパネル１Ｂとの接触状態を保ったまま、接触点がアイコン１０３の領域内に移動し、その後、スタイラスペン２がタッチパネル１Ｂから離隔したことを検出した場合、タッチパネル装置１は、アイコン１０３に対する選択操作を受付けたと判断する。他のアイコンについても、アイコン１０３と同様の操作にて選択操作を受付ける。
【００３９】
アイコン１０１〜１０４に対する選択操作を受付けた場合、タッチパネル装置１は、選択されたファイル名に対応するファイルをスタイラスペン２から取得し、取得したファイルを適宜のアプリケーションソフトウェアから開くことによりファイルの内容を表示パネル１Ａに表示させる。また、アイコン１０５に対する選択操作を受付けた場合、タッチパネル装置１は、記憶日時が次に新しいファイルのファイル名を選択し、選択したファイル名を表示パネル１Ａに表示させる。
【００４０】
なお、図５に示した例では、５つのアイコン１０１〜１０５を十字型に配置する構成としたが、表示させるアイコンの数（ファイル名の数）及びアイコンの配置は、図５に示す例に限定されるものではない。例えば、ファイル名を表すアイコンをｎ×ｍ（ｎ，ｍは２以上の整数）のマトリクス状に配置してもよく、適宜の数のアイコンを縦一例（または横一列）に配置する構成としてもよい。また、記憶日時が最も新しいファイルのファイル名に対応するアイコンをスタイラスペン２とタッチパネル１Ｂとの接触点に配置し、その周囲に記憶日時が２番目以降に新しいファイルのファイル名に対応する適宜の数のアイコンを円周状に配置する構成としてもよい。
【００４１】
図６はファイル名が選択された場合のタッチパネル装置１の動作を説明する説明図である。図６Ａでは、「ＸＬＳ１」とのファイル名が付されたアイコン１０３がスタイラスペン２により選択された状態を示している。「ＸＬＳ１」とのファイル名が付されたアイコン１０３が選択された場合、タッチパネル装置１は、ファイル名「ＸＬＳ１」のファイルを送信するようにスタイラスペン２へ要求する。
【００４２】
タッチパネル装置１からの要求に応じてスタイラスペン２から送信されたファイルを通信部１７にて受信した場合、ファイルを実行する（ファイルに関連付けられたアプリケーションソフトウェアから開く）ことにより、ファイルの内容を表示パネル１Ａに表示させる（図６Ｂを参照）。
【００４３】
次に、タッチパネル装置１における動作手順を説明する。
図７は実施の形態１に係るタッチパネル装置１の動作手順を示すフローチャートである。タッチパネル装置１の主制御部１１は、スタイラスペン２のデータ呼出スイッチ２３ａが押下された場合に送信される信号を通信部１７にて間欠的に受信したか否かを判断することによって、データ呼出スイッチ２３ａが押下された状態であるか否かを判断する（ステップＳ１０１）。データ呼出スイッチ２３ａが押下された状態でないと判断した場合（Ｓ１０１：ＮＯ）、主制御部１１は、以下の処理を実行することなく本フローチャートによる処理を終了する。
【００４４】
スタイラスペン２のデータ呼出スイッチ２３ａが押下された状態であると判断した場合（Ｓ１０１：ＹＥＳ）、主制御部１１は、タッチパネル１Ｂにてタッチ操作を検出したか否かを判断する（ステップＳ１０２）。タッチ操作を検出していないと判断した場合（Ｓ１０２：ＮＯ）、主制御部１１は、処理をステップＳ１０１へ戻す。
【００４５】
スタイラスペン２のデータ呼出スイッチ２３ａが押下された状態でタッチ操作を検出したと判断した場合（Ｓ１０２：ＹＥＳ）、主制御部１１は、トリガ操作を受付けたと判断し、通信部１７を通じてファイル名の送信要求をスタイラスペン２へ送信する（ステップＳ１０３）。
【００４６】
スタイライスペン２は、タッチパネル装置１からファイル名の送信要求を受信した場合、記憶部２２に記憶してあるファイルのファイル名を送信要求に対する応答して返信する。このとき、スタイラスペン２は、ファイル名だけでなく、ファイルの記憶日時等の情報を併せてタッチパネル装置１へ送信する構成としてもよい。
【００４７】
主制御部１１は、ステップＳ１０３で送信した送信要求に対する応答として、スタイラスペン２からファイル名を受信したか否かを判断する（ステップＳ１０４）。受信していないと判断した場合（Ｓ１０４：ＮＯ）、主制御部１１は、スタイラスペン２からファイル名を受信するまで待機する。
なお、スタイラスペン２の記憶部２２にファイルが記憶されていない場合、スタイラスペン２は、タッチパネル装置１からの送信要求を受信した際に、表示すべきファイルが存在しない旨をタッチパネル装置１に通知し、タッチパネル装置１の表示パネル１Ａにその旨を表示する構成としてもよい。
【００４８】
ステップＳ１０３で送信した送信要求に対する応答として、スタイラスペン２からファイル名を受信したと判断した場合（Ｓ１０４：ＹＥＳ）、主制御部１１は、受信したファイル名が１つであるか否かを判断する（ステップＳ１０５）。
【００４９】
受信したファイル名が１つであると判断した場合（Ｓ１０５：ＹＥＳ）、主制御部１１は、そのファイル名を表示パネル１Ａに表示する（ステップＳ１０６）。このとき、主制御部１１は、スタイラスペン２とタッチパネル１Ｂとの接触点に対応する表示パネル１Ａ上の位置に、受信したファイル名を示すアイコンを表示する。
【００５０】
一方、受信したファイル名が複数であると判断した場合（Ｓ１０５：ＮＯ）、主制御部１１は、表示させるべきファイル名を選択し（ステップＳ１０７）、選択したファイル名を表示パネル１Ａに表示させる（ステップＳ１０８）。例えば、図４Ａに示したように、矩形状のアイコンを十字型に配置して表示する場合、主制御部１１は、記憶日時が最も新しいものから４つ以内のファイル名を選択する。そして、主制御部１１は、スタイラスペン２とタッチパネル１Ｂとの接触点に対応する表示パネル１Ａ上の位置に、記憶日時が最も新しいファイルのファイル名をアイコンにより表示する。また、主制御部１１は、当該アイコンの左側、上側、右側に、それぞれ記憶日時が２番目〜４番目に新しいファイルのファイル名に対応したアイコンを表示する。受信したファイル名が５つ以上である場合、
主制御部１１は、ファイル名更新用のアイコンを表示パネル１Ａに表示させ、記憶日時が５番目以降に新しいファイルのファイル名を表示できるように構成する。
【００５１】
次いで、主制御部１１は、ファイル名が選択されたか否かを判断する（ステップＳ１０９）。例えば、主制御部１１は、タッチパネル１Ｂによる検出結果に基づき、あるファイル名を表すアイコン上で、スタイラスペン２がタッチパネル１Ｂに接触した状態から離隔した状態に遷移したと判断した場合、前記ファイル名が選択されたと判断する。
【００５２】
ファイル名が選択されていない場合（Ｓ１０９：ＮＯ）、主制御部１１は、ファイル名更新用のアイコン１０５が選択されたか否かを判断することにより、他のファイル名を表示するか否かを判断する（ステップＳ１１０）。例えば、主制御部は、タッチパネル１Ｂによる検出結果に基づき、ファイル名更新用のアイコン１０５上で、スタイラスペン２がタッチパネル１Ｂに接触した状態から離隔した状態に遷移したと判断した場合、ファイル名更新用のアイコン１０５が選択されたと判断する。他のファイル名を表示する場合（Ｓ１１０：ＹＥＳ）、主制御部１１は、処理をステップＳ１０７へ戻す。
【００５３】
他のファイル名を表示しない場合（Ｓ１１０：ＮＯ）、主制御部１１は、ファイル名の表示を停止させるか否かを判断する（ステップＳ１１１）。例えば、主制御部１１は、タッチパネル１Ｂによる検出結果に基づき、スタイラスペン２とタッチパネル１Ｂとの接触状態が保たれたまま、スタイラスペン２のペン先が何れのアイコンも存在しない領域へ移動したと判断した場合、ファイル名の表示を停止させると判断する。
【００５４】
ファイル名の表示を停止させると判断した場合（Ｓ１１１：ＹＥＳ）、主制御部１１は、表示パネル１Ａへのファイル名の表示を停止させ（ステップＳ１１２）、本フローチャートによる処理を終了する。ファイル名の表示を停止させない場合（Ｓ１１１：ＮＯ）、主制御部１１は、処理をステップＳ１０９へ戻す。
【００５５】
ファイル名が選択された場合（Ｓ１０９：ＹＥＳ）、主制御部１１は、通信部１７を通じて、選択されたファイル名が示すファイルを送信するように要求する送信要求をスタイラスペン２へ送信する（ステップＳ１１３）。
【００５６】
ファイルの送信要求を送信した後、主制御部１１は、スタイラスペン２から送信されるファイルを通信部１７にて受信したか否かを判断する（ステップＳ１１４）。受信していない場合（Ｓ１１４：ＮＯ）、主制御部１１は、スタイラスペン２から送信されるファイルを受信するまで待機する。
【００５７】
スタイラスペン２から送信されるファイルを受信したと判断した場合（Ｓ１１４：ＹＥＳ）、主制御部１１は、受信したファイルを記憶部１３に記憶させると共に、対応するアプリケーションソフトウェアから当該ファイルを開くことにより、ファイルの内容を表示パネル１Ａに表示させる（ステップＳ１１５）。
【００５８】
以上のように、実施の形態１では、スタイラスペン２が備えるデータ呼出スイッチ２３ａの押下操作およびタッチパネル１Ｂへのタッチ操作といった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００５９】
実施の形態２．
実施の形態１では、スタイラスペン２のデータ呼出スイッチ２３ａが押下操作された状
態にて、スタイラスペン２によるタッチパネル１Ｂへのタッチ操作を受付けた場合、タッチパネル装置１は、スタイラスペン２に記憶されているファイルのファイル名を取得し、表示パネル１Ａにファイル名を表示する構成としたが、他のトリガ操作を契機としてファイル名を取得し、表示パネル１Ａにファイル名を表示する構成であってもよい。
実施の形態２では、タッチパネル１Ｂに対する長押し操作を検出した場合、タッチパネル装置１は、トリガ操作を受付けたと判断し、ファイル名の取得及び表示を行う構成について説明を行う。なお、実施の形態２では、データを呼び出すためのトリガ操作のみが実施の形態１と異なり、タッチパネル装置１及びスタイラスペン２のハードウェア構成等については実施の形態１と同様であるため、その説明を省略することとする。
【００６０】
図８は実施の形態２に係るタッチパネル装置２の動作手順を示すフローチャートである。タッチパネル装置１の主制御部１１は、タッチパネル１Ｂにてタッチ操作を検出したか否かを判断する（ステップＳ２０１）。タッチ操作を検出していないと判断した場合（Ｓ２０１：ＮＯ）、主制御部１１は、以下の処理を実行することなく本フローチャートによる処理を終了する。
【００６１】
タッチ操作を検出したと判断した場合（Ｓ２０１：ＹＥＳ）、主制御部１１は、図に示していないタイマを作動させ、計時を開始する（ステップＳ２０２）。次いで、主制御部１１は、計時を開始してから所定時間（例えば、３秒）が経過する前に、スタイラスペン２がタッチパネル１Ｂから離隔したか否かを判断する（ステップＳ２０３）。
【００６２】
計時を開始してから所定時間が経過する前にスタイラスペン２がタッチパネル１Ｂから離隔したと判断した場合（Ｓ２０３：ＹＥＳ）、主制御部１１は、ファイル名を表示させることなく本フローチャートによる処理を終了する。
【００６３】
計時を開始してから所定時間が経過する前にスタイラスペン２がタッチパネル１Ｂから離隔しなかったと判断した場合（Ｓ２０３：ＮＯ）、すなわち、タッチパネル１Ｂへのタッチ操作が所定時間継続したと判断した場合、主制御部１１は、トリガ操作を受付けたと判断する。
【００６４】
トリガ操作を受付けた場合のタッチパネル装置１の動作は、実施の形態１と全く同様であり、図７に示すフローチャートのステップＳ１０３以降の処理を実行する。
【００６５】
以上のように、実施の形態２では、タッチパネル１Ｂへの長押し操作といった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００６６】
実施の形態３．
実施の形態３では、スタイラスペン２に記憶されているデータを呼び出すためのアイコンを表示パネル１Ａ上に表示し、当該アイコンに対するタッチ操作を受付けた場合、タッチパネル装置１は、トリガ操作を受付けたと判断し、ファイル名の取得及び表示を行う構成について説明を行う。
なお、実施の形態３では、データを呼び出すためのトリガ操作のみが実施の形態１と異なり、タッチパネル装置１及びスタイラスペン２のハードウェア構成等については実施の形態１と同様である。
【００６７】
図９は実施の形態３におけるファイル名の表示方法を説明する説明図である。図９Ａはアプリケーションソフトウェアが提供する画面の一例を示している。実施の形態３では、
例えば、アプリケーションソフトウェアが提供する画面内に、データを呼び出すためのアイコン（ソフトウェアボタン１１０）を配置し、ソフトウェアボタン１１０に対する選択操作を受付けた場合、タッチパネル装置１の主制御部１１は、トリガ操作を受付けたと判断する。例えば、タッチパネル１Ｂがソフトウェアボタン１１０の領域内でタッチ操作を検出し、スタイラスペン２のペン先が前記領域から外れることなくタッチパネル１Ｂから離隔したことを検出した場合、主制御部１１は、ソフトウェアボタン１１０に対する選択操作を受付けたと判断する。
【００６８】
図９Ｂはトリガ操作を受付けた場合の画面例を示している。トリガ操作を受付けた場合、主制御部１１は、スタイラスペン２に記憶されたファイルを呼び出すためのアイコン群１００を表示パネル１Ａ上に表示させる。アイコン群１００は、実施の形態１と同様に、記憶日時が１番目〜４番目に新しいファイルのファイル名に対応するアイコン１０１〜１０４、及び記憶日時が次に新しいファイルのファイル名を表示させるファイル名更新用のアイコン１０５により構成される。
【００６９】
アイコン１０１〜１０４に対する選択操作を受付けた場合、タッチパネル装置１は、選択されたファイル名に対応するファイルをスタイラスペン２から取得し、取得したファイルを適宜のアプリケーションソフトウェアから開くことによりファイルの内容を表示パネル１Ａに表示させる。また、アイコン１０５に対する選択操作を受付けた場合、タッチパネル装置１は、記憶日時が次に新しいファイルのファイル名を選択し、選択したファイル名を表示パネル１Ａに表示させる。
【００７０】
図１０は実施の形態３に係るタッチパネル装置１の動作手順を示すフローチャートである。タッチパネル装置１の主制御部１１は、スタイラスペン２に記憶されたデータを呼び出すためのソフトウェアボタン１１０が選択されたか否かを判断する（ステップＳ３０１）。ソフトウェアボタン１１０が選択されていないと判断した場合（Ｓ３０１：ＮＯ）、主制御部１１は、以下の処理を実行することなく本フローチャートによる処理を終了する。
【００７１】
ソフトウェアボタン１１０が選択されたと判断した場合（Ｓ３０１：ＹＥＳ）、主制御部１１は、トリガ操作を受付けたと判断する。トリガ操作を受付けた場合のタッチパネル装置１の動作は、実施の形態１と全く同様であり、図７に示すフローチャートのステップＳ１０３以降の処理を実行する。
【００７２】
以上のように、実施の形態３では、アプリケーションソフトウェアが提供する画面内でソフトウェアボタン１１０を選択するといった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００７３】
実施の形態４．
実施の形態４では、スタイラスペン２のデータ呼出スイッチ２３ａが押下操作されたときに送信される信号を受信した場合、タッチパネル装置１は、トリガ操作を受付けたと判断し、ファイル名の取得及び表示を行う構成について説明を行う。
なお、実施の形態４では、データを呼び出すためのトリガ操作のみが実施の形態１と異なり、タッチパネル装置１及びスタイラスペン２のハードウェア構成等については実施の形態１と同様である。
【００７４】
図１１は実施の形態４に係るタッチパネル装置１の動作手順を示すフローチャートであ
る。タッチパネル装置１の主制御部１１は、スタイラスペン２のデータ呼出スイッチ２３ａが押下された場合に送信される信号を通信部１７にて受信したか否かを判断することによって、データ呼出スイッチ２３ａが押下操作されたか否かを判断する（ステップＳ４０１）。データ呼出スイッチ２３ａが押下操作されていないと判断した場合（Ｓ４０１：ＮＯ）、主制御部１１は、以下の処理を実行することなく本フローチャートによる処理を終了する。
【００７５】
データ呼出スイッチ２３ａが押下操作されたと判断した場合（Ｓ４０１：ＹＥＳ）、主制御部１１は、トリガ操作を受付けたと判断する。トリガ操作を受付けた場合のタッチパネル装置１の動作は、実施の形態１と全く同様であり、図７に示すフローチャートのステップＳ１０３以降の処理を実行する。
【００７６】
以上のように、実施の形態４では、スタイラスペン２が備えるデータ呼出スイッチ２３ａの押下操作といった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００７７】
実施の形態５．
実施の形態５では、スタイラスペン２による特定のジェスチャ操作を受付けた場合、タッチパネル装置１は、トリガ操作を受付けたと判断し、ファイル名の取得及び表示を行う構成について説明を行う。
【００７８】
図１２は実施の形態５に係るスタイラスペン２の内部構成を示すブロック図である。実施の形態５に係るスタイラスペン２は、自機の特定の動き（ジェスチャ操作）を検出するために、制御部２１、記憶部２２、操作部２３、通信部２４に加え、加速度センサ２５を備える。
【００７９】
制御部２１は、例えばＣＰＵ、ＲＯＭ、ＲＡＭにより構成されており、ＲＯＭに予め格納された制御プログラムをＲＡＭに読み出し、ＣＰＵが制御プログラムを実行することにより、スタイラスペン２を本発明に係る操作具として機能させる。
【００８０】
記憶部２２は、例えばＥＥＰＲＯＭなどの不揮発性メモリにより構成されている。記憶部２２が備える記憶領域の一部は、各種データを記憶するためのデータ記憶領域、及びデータ記憶領域に記憶したデータを管理するためのデータ管理テーブルとして利用される。
【００８１】
操作部２３は、例えば各種のスイッチを備える。操作部２３が備えるスイッチが操作された場合、制御部２１は、スイッチの操作状態に応じた信号を生成し、生成した信号を通信部２４を通じてタッチパネル装置１へ送信する。タッチパネル装置１は、スタイラスペン２の操作部２３が操作されたことを示す信号を受信した場合、その信号に基づいて各種の処理を実行する。
【００８２】
通信部２４は、有線又は無線により接続先のタッチパネル装置１と通信するためのインタフェースを含む。有線方式の通信として、例えばＵＳＢケーブルを用いた通信を利用することができる。また、無線方式の通信として、例えばＩＥＥＥ８０２．１の規格に準拠した無線通信、Ｂｌｕｅｔｏｏｔｈ（登録商標）などを利用することができる。
【００８３】
加速度センサ２５は、スタイラスペン２の加速度（例えばスタイラスペン２の軸心方向の加速度）を計測し、計測した加速度の値を制御部２１へ出力する。制御部２１は、加速
度センサ２５が出力する加速度の値に基づいて、スタイラスペン２が特定の動きをしたか否かを検出する。例えば、スタイラスペン２の軸心方向の加速度について閾値を設定しておき、加速度センサ２５から出力される加速度の値が閾値以上の場合、制御部２１は、特定の動き（スタイラスペン２を振る動き）をしたと判断することができる。制御部２１は、スタイラスペン２が特定の動きをしたと判断した場合、通信部２４を通じて所定の信号をタッチパネル装置１へ送信する。
【００８４】
実施の形態５に係るタッチパネル装置１は、スタイラスペン２が特定の動きを検出したときに送信する所定の信号を受信した場合、トリガ操作を受付けたと判断する。トリガ操作を受付けた場合、実施の形態１と同様に、タッチパネル装置１は、スタイラスペン２の記憶部２２に記憶されているファイルのファイル名を取得し、取得したファイル名を表示パネル１Ａに表示させる。また、表示パネル１Ａに表示したファイル名について選択操作を受付けた場合、タッチパネル装置１は、対応するファイルをスタイラスペン２から取得し、取得したファイルの内容を表示パネル１Ａに表示させる処理を行う。
【００８５】
図１３は実施の形態５に係るタッチパネル装置１の動作手順を示すフローチャートである。タッチパネル装置１の主制御部１１は、通信部１７を通じて、スタイラスペン２が特定の動きを検出したときに送信する所定の信号を受信したか否かを判断する（ステップＳ５０１）。受信していない場合（Ｓ５０１：ＮＯ）、主制御部１１は、以下の処理を実行することなく本フローチャートによる処理を終了する。
【００８６】
スタイラスペン２が特定の動きを検出したときに送信する所定の信号を受信したと判断した場合（Ｓ５０１：ＹＥＳ）、主制御部１１は、トリガ操作を受付けたと判断する。トリガ操作を受付けた場合のタッチパネル装置１の動作は、実施の形態１と全く同様であり、図７に示すフローチャートのステップＳ１０３以降の処理を実行する。
【００８７】
以上のように、実施の形態５では、スタイラスペン２を振るといった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００８８】
なお、実施の形態５では、スタイラスペン２の特定の動きを検出するために、スタイラスペン２の軸心方向の加速度を計測する構成としたが、加速度だけでなく、スタイラスペン２の位置、姿勢（軸心の傾き）等を計測する構成であってもよい。制御部２１は、これらの値の少なくとも１つを用いてスタイラスペン２の特定の動きを検出することができる。
【００８９】
また、実施の形態５では、スタイラスペン２による検出結果をタッチパネル装置１へ通信する構成としたが、タッチパネル装置１がスタイラスペン２の特定の動きを検出する構成を備え、タッチパネル装置１にて検出したスタイラスペンの動きに応じて、スタイラスペン２からファイルを呼び出す構成としてもよい。
【００９０】
実施の形態６．
実施の形態６では、タッチパネル１Ｂ上で描かれた軌跡が所定の軌跡である場合、タッチパネル装置１は、トリガ操作を受付けたと判断し、ファイル名の取得及び表示を行う構成について説明を行う。
なお、実施の形態６では、データを呼び出すためのトリガ操作のみが実施の形態１と異なり、タッチパネル装置１及びスタイラスペン２のハードウェア構成等については実施の形態１と同様である。
【００９１】
図１４は実施の形態６に係るファイル名の表示方法を説明する説明図である。実施の形態６では、タッチパネル１Ｂ上で描かれた軌跡が所定の軌跡である場合、トリガ操作を受付けたと判断し、スタイラスペン２からファイル名を取得して、表示パネル１Ａにファイル名を表示させる。
【００９２】
図１４Ａは検出すべき軌跡がタッチパネル１Ｂ上で描かれた様子を示している。検出すべき軌跡としてタッチパネル装置１に予め記憶された軌跡（例えば逆Ｖ字形状の軌跡）が描かれた場合、タッチパネル装置１は、トリガ操作を受付けたと判断し、図１４Ｂに示すように、スタイラスペン２からファイルを呼び出すためのアイコン群１００を表示パネル１Ａに表示させる。アイコン群１００を構成するアイコン１０１〜１０５のうち、アイコン１０１〜１０４のそれぞれには記憶日時が１番目〜４番目のファイルのファイル名が付されている。また、アイコン１０５は、記憶日時が次に新しいファイルのファイル名を表示させるファイル名更新用のアイコンとして機能するように構成されている。
【００９３】
図１５は実施の形態６に係るタッチパネル装置１の動作手順を示すフローチャートである。タッチパネル装置１の主制御部１１は、タッチパネル制御部１６からの出力に基づき、スタイラスペン２によるタッチ操作を継続的に検出することにより、タッチパネル１Ｂ上で描かれた軌跡を特定する（ステップＳ６０１）。次いで、主制御部１１は、ステップＳ６０１で特定した軌跡が予め定めた所定の軌跡であるか否かを判断する（ステップＳ６０２）。例えば、検出すべき軌跡のデータを予め記憶部１３に記憶させておき、ステップＳ６０１で軌跡を特定した際、特定した軌跡と予め記憶部１３に記憶された軌跡との類似性を判断することにより、主制御部１１は、特定した軌跡が所定の軌跡であるか否かを判断することができる。なお、検出すべき軌跡は、ユーザ自身が適宜設定するものであってもよい。
【００９４】
所定の軌跡でないと判断した場合（Ｓ６０２：ＮＯ）、主制御部１１は、本フローチャートによる処理を終了する。所定の軌跡であると判断した場合（Ｓ６０２：ＹＥＳ）、主制御部１１は、トリガ操作を受付けたと判断する。トリガ操作を受付けた場合のタッチパネル装置１の動作は、実施の形態１と全く同様であり、図７に示すフローチャートのステップＳ１０３以降の処理を実行する。
【００９５】
以上のように、実施の形態６では、タッチパネル１Ｂ上で特定の軌跡を描くといった簡単な操作により、スタイラスペン２に記憶されているファイルのファイル名を表示パネル１Ａに表示させることができる。また、ファイル名が表示された状態で、タッチパネル１Ｂによりファイル名を選択することで、所望のファイルを容易に呼び出すことができ、呼び出したファイルの内容を表示パネル１Ａ上に表示させることができる。
【００９６】
実施の形態７．
実施の形態１では、記憶日時が新しいものから順に所定数（例えば４つ）ずつファイル名を表示する構成について説明したが、ファイル名を一覧で表示する構成を備えるものであってもよい。
実施の形態７では、トリガ操作を受付けた場合に所定数以内のファイル名を表示し、ユーザが所望するファイルが存在しない場合、ファイル名を一覧で表示する構成について説明を行う。
【００９７】
図１６はトリガ操作を受付けた場合に表示するアイコン群１００の一例を示す模式図である。実施の形態１〜７で説明した何れかのトリガ操作を受付けた場合、タッチパネル装置１は、図１６に示すようなアイコン群１００を表示パネル１Ａに表示させる。
【００９８】
アイコン１０１〜１０４は、実施の形態１と同様であり、スタイラスペン２に記憶されているファイルの中で記憶日時が１番目〜４番目に新しいファイルに対応したアイコンである。実施の形態７では、アイコン１０１の下側に、スタイラスペン２に記憶されているファイルのファイル名を一覧で表示させるためのアイコン１０６を配置して表示する。
【００９９】
図１７は実施の形態６におけるファイル名の選択方法を説明する説明図である。タッチパネル装置１は、トリガ操作を受付けた場合、図１７Ａに示すように、アイコン群１００を表示パネル１Ａに表示させ、呼び出すべきファイルに対する選択操作を受付ける。ユーザが所望するファイルのファイル名が存在しない場合、ユーザは、スタイラスペン２を用いてアイコン１０６に対する選択操作を行う。
【０１００】
図１７Ｂは、アイコン１０６に対する選択操作を受付けた場合の表示例を示している。アイコン１０６に対する選択操作を受付けた場合、タッチパネル装置１は、図１７Ｂに示すように、スタイラスペン２に記憶されているファイルの一覧を含むウインドウ２００を表示パネル１Ａに表示させる。
【０１０１】
ウインドウ２００は、スタイラスペン２に記憶されているファイルのファイル名をリスト形式で表示するファイル表示欄２０１、ファイル名のリストにおける表示部分を変更するためのスライダ２０２、選択されたファイル名に対応するファイルを呼び出すためのソフトウェアボタン２０３、ファイル名に対する選択をキャンセルするためのソフトウェアボタン２０４等により構成される。
【０１０２】
本実施の形態６では、ファイル表示欄２０１にてファイル名が選択され、ソフトウェアボタン２０３が押下操作された場合、タッチパネル装置１は、対応するファイルの送信要求をスタイラスペン２へ送信する。タッチパネル装置１は、前記送信要求に対する応答としてスタイラスペン２から送信されるファイルを受信した場合、受信したファイルを適宜のアプリケーションソフトウェアから開くことによってファイルの内容を表示パネル１Ａに表示させる。
【０１０３】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１０４】
例えば、本実施の形態では、タッチパネル装置１がパーソナルコンピュータの機能を有するものとして説明したが、パーソナルコンピュータの機能を有することは必須の構成ではなく、タッチパネル装置１に外部コンピュータを接続する構成とし、外部コンピュータから出力される画面を表示パネル１Ａに表示すると共に、タッチパネル１Ｂ又は外部コンピュータに接続されたマウス、キーボード等の入力手段を通じてユーザの操作を受付ける構成としてもよい。
【０１０５】
また、本実施の形態では、タッチパネル装置１がトリガ操作を受付けた場合にスタイラスペン２に対してファイル名を送信するように要求を行い、当該要求に応じてスタイラスペン２から送信されるファイル名を表示パネル１Ａに表示する構成としたが、スタイラスペン２に記憶されているファイルのファイル名をタッチパネル装置１が事前に取得して管理する構成としてもよい。この構成では、タッチパネル装置１は、トリガ操作を受付けた場合、自身で管理している情報を基にスタイラスペン２に記憶されているファイルのファイル名を表示し、ファイル名に対する選択操作を受付けたときに、対応するファイルを送信するようにスタイラスペン２に要求することが可能である。
【０１０６】
以上の実施の形態に関し、更に以下の付記を開示する。
【０１０７】
本願のタッチパネルシステムは、情報を表示するための表示パネル（１Ａ）と、該表示パネル（１Ａ）上での位置の指定を受付けるタッチパネル（１Ｂ）とを有し、該タッチパネル（１Ｂ）にて受付けた位置に基づく処理を実行するタッチパネル装置（１）、及び前記表示パネル（１Ａ）上の位置の指定に用いられる操作具（２）を備えるタッチパネルシステムにおいて、前記操作具（２）は、１又は複数のデータ及び各データを識別する識別情報を記憶する記憶手段（２２）を備え、前記タッチパネル装置（１）は、前記記憶手段（２２）に記憶されているデータの識別情報を取得する取得手段（１７）と、前記操作具（２）を用いた所定の操作を受付けたか否かを判断する判断手段（１１）とを備え、前記所定の操作を受付けたと判断した場合、前記取得手段（１７）が取得した識別情報を前記表示パネル（１Ａ）に表示するようにしてあることを特徴とする。
【０１０８】
本願では、操作具を用いた操作により、操作具に記憶されているデータの識別情報を表示パネルに表示させることができ、表示された識別情報に対応するデータを操作具から容易に呼び出すことが可能となる。
【０１０９】
本願のタッチパネルシステムでは、前記操作具（２）は、スイッチ（２３ａ）を備え、該スイッチ（２３ａ）が操作された場合、所定の信号を前記タッチパネル装置（１）へ送信するようにしてあり、前記タッチパネル装置（１）が備える前記判断手段（１１）は、前記所定の信号を受信した際に、前記操作具（２）による位置の指定を前記タッチパネル（１Ｂ）にて受付けた場合、前記所定の操作を受付けたと判断するようにしてあることを特徴とする。
【０１１０】
本願では、操作具が備えるスイッチの操作およびタッチパネルへのタッチ操作といった簡単な操作により、操作具に記憶されているデータの識別情報を表示パネルに表示させることができる。また、表示された識別情報に対応するデータを操作具から容易に呼び出すことが可能となる。
【０１１１】
本願のタッチパネルシステムは、前記タッチパネル装置（１）は、前記タッチパネル（１Ｂ）にて位置の指定を受付けた場合、計時を開始する手段（１１）と、前記タッチパネル（１Ｂ）での位置の指定が所定時間継続したか否かを判断する手段（１１）とを備え、前記タッチパネル（１Ｂ）での位置の指定が所定時間継続したと判断した場合、前記判断手段（１１）は、前記所定の操作を受付けたと判断するようにしてあることを特徴とする。
【０１１２】
本願では、タッチパネルへの長押し操作といった簡単な操作により、操作具に記憶されているデータの識別情報を表示パネルに表示させることができる。また、表示された識別情報に対応するデータを操作具から容易に呼び出すことが可能となる。
【０１１３】
本願のタッチパネルシステムは、前記タッチパネル装置（１Ｂ）は、前記操作具（２）の記憶手段（２２）に記憶されているデータの取得要求を表すオブジェクト（１１０）を前記表示パネル（１Ａ）に表示させる手段（１５）を備え、前記判断手段（１１）は、前記オブジェクト（１１０）に対応する位置の指定を前記タッチパネル（１Ｂ）にて受付けた場合、前記所定の操作を受付けたと判断するようにしてあることを特徴とする。
【０１１４】
本願では、例えばＯＳ又はアプリケーションソフトウェアが提供するアイコンへのタッチ操作といった簡単な操作により、操作具に記憶されているデータの識別情報を表示パネルに表示させることができる。また、表示された識別情報に対応するデータを操作具から容易に呼び出すことが可能となる。
【０１１５】
本願のタッチパネルシステムは、前記操作具（２）は、スイッチ（２３ａ）を備え、該スイッチ（２３ａ）が操作された場合、所定の信号を前記タッチパネル装置（１）へ送信するようにしてあり、前記タッチパネル装置（１）が備える前記判断手段（１１）は、前記所定の信号を受信した場合、前記所定の操作を受付けたと判断するようにしてあることを特徴とする。
【０１１６】
本願では、操作具が備えるスイッチの操作といった簡単な操作により、操作具に記憶されているデータの識別情報を表示パネルに表示させることができる。また、表示された識別情報に対応するデータを操作具から容易に呼び出すことが可能となる。
【０１１７】
本願のタッチパネルシステムは、前記操作具（２）は、自機の特定の動きを検出する検出手段（２１）を備え、該検出手段（２１）が前記特定の動きを検出した場合、所定の信号を前記タッチパネル装置（１）へ送信するようにしてあり、前記タッチパネル装置（１）が備える前記判断手段（１１）は、前記所定の信号を受信した場合、前記所定の操作を受付けたと判断するようにしてあることを特徴とする。
【０１１８】
本願では、操作具を振るといった予め定めた簡単な操作により、操作具に記憶されているデータの識別情報を表示パネルに表示させることができる。また、表示された識別情報に対応するデータを操作具から容易に呼び出すことが可能となる。
【０１１９】
本願のタッチパネルシステムは、前記タッチパネル装置（１）は、前記タッチパネル（１Ｂ）が受付けた位置に基づき、前記タッチパネル（１Ｂ）上で描かれた軌跡を特定する手段（１１）と、特定した軌跡が所定の軌跡であるか否かを判断する手段（１１）とを備え、前記タッチパネル（１Ｂ）上で描かれた軌跡が所定の軌跡であると判断した場合、前記判断手段（１１）は、前記所定の操作を受付けたと判断するようにしてあることを特徴とする。
【０１２０】
本願では、タッチパネル上で特定の軌跡を描くといった簡単な操作により、操作具に記憶されているデータの識別情報を表示パネルに表示させることができる。また、表示された識別情報に対応するデータを操作具から容易に呼び出すことが可能となる。
【０１２１】
本願のタッチパネルシステムは、前記タッチパネル装置（１）は、受信した識別情報の夫々を示す１又は複数のオブジェクト（１０１〜１０４）を前記表示パネル（１Ａ）に表示するようにしてあり、前記１又は複数のオブジェクト（１０１〜１０４）の何れかに対応する位置の指定を前記タッチパネル（１Ｂ）にて受付けた場合、指定されたオブジェクト（１０１〜１０４）が示す識別情報により識別されるデータの送信要求を前記操作具（２）へ送信し、該送信要求に対する応答として前記操作具（２）より送信されるデータを受信するようにしてあることを特徴とする。
【０１２２】
本願では、予め定めた簡単な操作により、操作具に記憶されているデータの識別情報を表示パネルに表示させることができる。また、表示された識別情報に対応して表示されるアイコン等を操作具を用いて選択することにより、選択されたデータをタッチパネル装置に呼び出し、表示パネル上に表示させることができる。
【０１２３】
本願のタッチパネルシステムは、前記タッチパネル装置（１）は、前記記憶手段（２２）に記憶されているデータの識別情報と共に、各データの記憶日時に係る情報を取得するようにしてあり、前記表示パネル（１Ａ）に識別情報を表示する際、記憶日時が新しい順に選択した所定数以内のデータの識別情報を表示するようにしてあることを特徴とする。
【０１２４】
本願では、記憶日時が新しいデータから順次表示させることができるので、ユーザが所望するデータが優先的に表示される。
【０１２５】
本願のタッチパネル装置は、情報を表示するための表示パネル（１Ａ）と、該表示パネル（１Ａ）上での位置の指定を受付けるタッチパネル（１Ｂ）とを備えるタッチパネル装置（１）において、１又は複数のデータ及び各データを識別する識別情報を記憶する記憶手段（２２）を備えた操作具（２）を通信可能に接続する接続手段（１７）と、前記記憶手段（２２）に記憶されているデータの識別情報を取得する取得手段（１７）と、前記操作具（２）を用いた所定の操作を受付けたか否かを判断する判断手段（１１）とを備え、前記所定の操作を受付けたと判断した場合、前記取得手段（１７）が取得した識別情報を前記表示パネル（１Ａ）に表示するようにしてあることを特徴とする。
【０１２６】
本願では、操作具を用いた操作により、操作具に記憶されているデータの識別情報を表示パネルに表示させることができ、表示された識別情報に対応するデータを操作具から容易に呼び出すことが可能となる。
【０１２７】
本願のタッチパネル装置は、受信した識別情報の夫々を示す１又は複数のオブジェクト（１０１〜１０４）を前記表示パネル（１Ａ）に表示し、前記１又は複数のオブジェクト（１０１〜１０４）の何れかに対応する位置の指定を前記タッチパネル（１Ｂ）にて受付けた場合、指定されたオブジェクト（１０１〜１０４）が示す識別情報により識別されるデータの送信要求を前記操作具（２）へ送信し、該送信要求に対する応答として前記操作具（２）より送信されるデータを受信するようにしてあることを特徴とする。
【０１２８】
本願では、予め定めた簡単な操作により、操作具に記憶されているデータの識別情報を表示パネルに表示させることができる。また、表示された識別情報に対応して表示されるアイコン等を操作具を用いて選択することにより、選択されたデータをタッチパネル装置に呼び出し、表示パネル上に表示させることができる。
【符号の説明】
【０１２９】
１  タッチパネル装置
１Ａ  表示パネル
１Ｂ  タッチパネル
２  スタイラスペン
１１  主制御部
１２  ＲＡＭ
１３  記憶部
１４  バックライト制御部
１５  表示制御部
１６  タッチパネル制御部
１７  通信部
２１  制御部
２２  記憶部
２３  操作部
２４  通信部
【図１】
2018113073.tif 000003
【図２】
2018113073.tif 000004
【図３】
2018113073.tif 000005
【図４】
2018113073.tif 000006
【図５】
2018113073.tif 000007
【図６】
2018113073.tif 000008
【図７】
2018113073.tif 000009
【図８】
2018113073.tif 000010
【図９】
2018113073.tif 000011
【図１０】
2018113073.tif 000012
【図１１】
2018113073.tif 000013
【図１２】
2018113073.tif 000014
【図１３】
2018113073.tif 000015
【図１４】
2018113073.tif 000016
【図１５】
2018113073.tif 000017
【図１６】
2018113073.tif 000018
【図１７】
2018113073.tif 000019